(57)【要約】【課題】  フック列のフックの数を増やして電気コードの一巻き長さを長くすると共に、フック列に巻き掛けた電気コードの余剰部分を長く垂れ下がらないようにコード保持部材の溝部に挟み込むことを可能にする。【解決手段】  フック列３０を二等辺三角形の３つの頂部に個別に配備した３つのフック３１，３２，３３で構成し、個々のフック３１，３２，３３にコード返し片を設ける。突起でなるコード保持部材４０は、それぞれのフック３１，３２，３３からの離隔間隔が同一になる箇所に配備されていて、その頂部に、電気コードＣの余剰部分Ｃ１を挟み込む溝部を有する。【選択図】        図３
2008290788.tif 000002
【特許請求の範囲】
【請求項１】
機能部から引き出された電気コードが巻き掛けられるフック列と、このフック列に巻き掛けられた上記電気コードの余剰部分を保持させるためのコード保持部材とを備え、
上記機能部が自走体に搭載されたバッテリーを充電する機能を有して電気箱に収容されていて、その電気箱の前面側に、上記自走体に備わっている充電用の受電側端子部が設置され、かつ、その電気箱の背面側に電気コード収納空間を形成する凹入部が設けられていて、その凹入部の樹脂でなる底板に上記フック列と上記コード保持部材とが樹脂で一体成形されていると共に、その底板に形成された引出口を通じて上記電気コードが上記機能部から引き出され、
上記フック列が二等辺三角形の３つの頂部に個別に配備された３つのフックでなり、個々のフックに、上記フック列に巻き掛けられた電気コードを係止してその脱落を防ぐコード返し片が備わっていると共に、上記コード保持部材が、それぞれの上記フックからの離隔間隔が同一になる箇所に配備されて上記電気コードの余剰部分が挟み込まれる溝部を頂部に有する突起でなることを特徴とする電気コード収納部構造。
【請求項２】
機能部から引き出された電気コードが巻き掛けられるフック列と、このフック列に巻き掛けられた上記電気コードの余剰部分を保持させるためのコード保持部材とを備え、
上記フック列が、直線状に並ばない少なくとも３箇所に間隔を隔てて配備された３つ以上の数のフックを有し、上記コード保持部材が、それぞれのフックからの離隔間隔が同一になる箇所に配備されて上記電気コードの余剰部分が挟み込まれる溝部を有していることを特徴とする電気コード収納部構造。
【請求項３】
上記フック列が電気コード収納空間を形成する凹入部の樹脂でなる底板に樹脂で一体成形されていて、上記コード保持部材は、上記底板に一体成形された突起の頂部に上記溝部を有している請求項２に記載した電気コード収納部構造。
【請求項４】
上記フック列が二等辺三角形の３つの頂部に個別に配備された３つのフックでなる請求項３に記載した電気コード収納部構造。
【請求項５】
上記フック列に具備されている個々のフックに、上記フック列に巻き掛けられた電気コードを係止してその脱落を防ぐコード返し片が備わっている請求項２ないし請求項４のいずれか１項に記載した電気コード収納部構造。
【請求項６】
上記コード保持部材を形成している突起が上記底板から分離されてその底板に回転自在に取り付けられている請求項１又は請求項３に記載した電気コード収納部構造。
【発明の詳細な説明】
【技術分野】
【０００１】
本発明は、電気コード収納部構造、特に充電再使用型のバッテリーを搭載した電気機器や自走体の上記バッテリーを充電するための充電装置などにおいて、電気コードを要領よく収納するための対策を講じた電気コード収納部構造に関する。
【背景技術】
【０００２】
この種の電気コード収納部構造として、図６に要部を正面図で概略的に示したように、間隔を隔てて配備された２つのフック１１，１２を備えるフック列１０を有するものがあった。この構成のフック列１０を備える電気コード収納部に電気コード（不図示）を収納するときには、電気コードを２つのフック１１，１２にループ状に巻き掛けるということが行われる。また、フック列１０が立上り面上で上下又は左右に並んでいる場合には、巻き掛けた電気コードがフック列１０から脱落することを防ぐために、それぞれのフック１１，１２にコード返し片１３，１４を具備させてあることが多い。
【０００３】
一方、アップライト型電気掃除機に関しては、操作ハンドルの背面側に上下一対のフックとそれらのフックの上側の引掛部とを設けたものが従来知られていた（たとえば、特許文献１参照）。また、ＡＣアダプタとケーブル（電気コードに相当する）とを一体にまとめて巻き掛けることができ、しかも、コードの巻取り径を増減調節することが可能な骨組み構造を有するリール型のコード巻取り器も知られている（たとえば、特許文献２参照）。さらに、電気掃除機に搭載されている蓄電池を充電することに用いられる充電台についての研究も従来よりなされている（たとえば、特許文献３参照）。
【特許文献１】特開２００２−１６５７３５号公報
【特許文献２】特開２００６−１９９４８２号公報
【特許文献３】特開２００３−２０４９０９号公報
【発明の開示】
【発明が解決しようとする課題】
【０００４】
図６を参照して説明した電気コード収納部構造は、直線状に並んだ上下一対のフック１１，１２に電気コードを巻き掛けるものであるため、長い電気コードではフック１１，１２に何重にも電気コードを巻き掛けることになり、そのような状況では、フック１１，１２に巻き掛けられたコード束が太くなってコード返し片１３によっては電気コードが脱落することを十分に防止することができなくなるおそれがある。この点を解決するには、一対のフック１１，１２の間隔を拡げたり、コード返し片１３を大きくすることが有効である。しかし、フック１１，１２の間隔を拡げると、それに見合って電気コード収納のためのスペースを拡げることが必要になって電気コード収納部が大形化してしまうという問題が生じる。また、コード返し片１３を大きくすると、それだけ電気コードを巻き掛けにくくなるために電気コード収納作業の煩わしさが増大するという問題が生じる。さらに、図６のものでは、フック列１０に巻き掛けた電気コードの余剰部分を収まりよく処理する機能を有していないために、その余剰部分が揺れ動いて電気コードがフック列１０から脱落しやすいという問題もある。
【０００５】
これに対し、特許文献１によって提案されているものは、上下一対のフックと共に引掛部を有しているので、フックに巻き掛けた電気コードの余剰部分をその引掛部に引掛けておくことによって、電気コードがフックから容易に脱落しなくなるという利点も持っているとも云える。
【０００６】
しかしながら、特許文献１に示されている上記引掛部は、上下一対のフックの上側に位置しているので、それらのフックに巻き掛けた電気コードの余剰部分の長さによっては、引掛部に引掛けられた電気コードがその引掛部から長く垂れ下がって揺れ動き、他の部分に衝突したりして電気コード先端のプラグや電気掃除機を損傷したりするおそれがある。このようなおそれは、フックに対する電気コードの巻掛け状態に個人差によるばらつきがあるために多々起こり得ることである。
【０００７】
また、特許文献２によって提案されているリール型のコード巻取り器は、コード巻取り径を増減調節することのできる機能を有しているので、そのコード巻取り径を増減調節することによって電気コードの余剰部分の長さを適切な長さに定めることができ、その結果、余剰部分が長く垂れ下がって揺れ動くという状況を回避することができるとも考えられる。しかし、このものは、電気コードを巻き取るためのＸ状に組んだ４枚の板と４個のピン部品とを組み合わせて構成されたものであるので、そのコード巻取り器自体の構成部品が多く、しかも、大形になりやすいということが云える。そのため、仮に充電装置などの電気コードの収納に用いた場合には、電気コード収納部によって充電装置の全体が大形化してしまい、また、その組立作業性も低下して量産性が損なわれてしまうということが云える。
【０００８】
本発明は以上の問題や状況に鑑みてなされたものであり、電気コード収納のためのスペースを拡げることなくフック列に対する電気コードの一巻き長さを長くすることのできる対策を講じることにより、長い電気コードであってもフック列にそれほど嵩張らない状態で巻き掛けることを可能にしてコード返し片の大形化を回避することができるだけでなく、フック列に対する電気コードの巻掛け状態に個人差があることを前提として上で、フック列に巻き掛けた電気コードの余剰部分を収まりよく処理し得る機能を備えた電気コード収納部構造を提供することを目的とする。
【課題を解決するための手段】
【０００９】
本発明に係る電気コード収納部構造は、機能部から引き出された電気コードが巻き掛けられるフック列と、このフック列に巻き掛けられた上記電気コードの余剰部分を保持させるためのコード保持部材とを備えている。そして、上記フック列が、直線状に並ばない少なくとも３箇所に間隔を隔てて配備された３つ以上の数のフックを有し、上記コード保持部材が、それぞれのフックからの離隔間隔が同一になる箇所に配備されて上記電気コードの余剰部分が挟み込まれる溝部を有している。
【００１０】
この構成であれば、フック列が直線状に並ばない少なくとも３箇所に間隔を隔てて配備された３つ以上の数のフックを有していることにより、電気コード収納のためのスペースを拡げずに、フック列に巻き掛けた電気コードの一巻き長さを、図６を参照して説明した場合よりも長くすることが容易に可能になる。そのため、フック列への電気コードの巻き掛け回数が減ってフック列に巻き掛けられたコード束が嵩張って太くなることが抑制され、電気コードがフック列から脱落しにくくなる。これに加えて、コード保持部材が、それぞれのフックからの離隔間隔が同一になる箇所に配備されているので、フック列に対する電気コードの巻掛け状態に個人差があるとしても、少なくとも３つのフックのいずれかを適切に選択することにより電気コードの余剰部分の長さをほぼ同じ長さにすることが可能になり、そのためにコード保持部材の溝部にその余剰部分を挟み込んでその余剰部分が垂れ下がらないように処理することが可能になる。
【００１１】
本発明では、上記フック列が電気コード収納空間を形成する凹入部の樹脂でなる底板に樹脂で一体成形されていて、上記コード保持部材は、上記底板に一体成形された突起の頂部に上記溝部を有していることが望ましい。これによれば、フック列を構成しているフックやコード保持部材として余分な別部品を用いる必要がないので、当該電気コード収納部構造を構成するための必要部品点数が増えず、組立作業性や量産性が損なわれるという事態が起こらない。
【００１２】
本発明では、上記フック例が二等辺三角形の３つの頂部に個別に配備された３つのフックでなる、という構成を採用することが可能であり、この構成を採用することによって、フック列に対する電気コードの巻掛け作業性を良好に保つことができるという利点がある。
【００１３】
本発明では、上記フック列に具備されている個々のフックに、上記フック列に巻き掛けられた電気コードを係止してその脱落を防ぐコード返し片が備わっていることが望ましく、これによれば、コード返し片によってフック列に巻き掛けた電気コードの脱落が防止される。また、コード返し片を追加したとしても、上記したようにフック列に対する電気コードの一巻き長さが長くなって電気コードが嵩張りにくくなるので、そのコード返し片を大形化する必要性が必ずしもなくなる。したがって、電気コード収納作業の煩わしさを少なくすることに役立つ。
【００１４】
本発明に係る電気コード収納部構造は、機能部から引き出された電気コードが巻き掛けられるフック列と、このフック列に巻き掛けられた上記電気コードの余剰部分を保持させるためのコード保持部材とを備え、上記機能部が自走体に搭載されたバッテリーを充電する機能を有して電気箱に収容されていて、その電気箱の前面側に、上記自走体に備わっている充電用の受電側端子部が設置され、かつ、その電気箱の背面側に電気コード収納空間を形成する凹入部が設けられていて、その凹入部の樹脂でなる底板に上記フック例と上記コード保持部材とが樹脂で一体成形されていると共に、その底板に形成された引出口を通じて上記電気コードが上記機能部から引き出され、上記フック列が二等辺三角形の３つの頂部に個別に配備された３つのフックでなり、個々のフックに、上記フック列に巻き掛けられた電気コードを係止してその脱落を防ぐコード返し片が備わっていると共に、上記コード保持部材が、それぞれの上記フックからの離隔間隔が同一になる箇所に配備されて上記電気コードの余剰部分が挟み込まれる溝部を頂部に有する突起でなる、という構成を採用することによっていっそう具体化される。
【００１５】
特に、上記した各発明に係る電気コード収納部構造にあっては、上記コード保持部材を形成している突起が上記底板から分離されてその底板に回転自在に取り付けられている、という構成を採用することも可能である。この構成を採用すると、フック列に巻き掛けられた電気コードの余剰部分の引出し方向に応じてコード保持部材を形成している突起を回転させることができるので、コード保持部材の溝部に電気コードの余剰部分を屈曲させずに無理なく挟み込むことが可能になるという利点がある。そして、この利点によって、余剰部分の処理を容易に行うことができ、しかも、余剰部分が無理に屈曲してしまって断線などの損傷を生じるおそれを無くすることが可能になる。
【発明の効果】
【００１６】
以上のように、本発明に係る電気コード収納部構造は、図６を参照して説明したものと対比すると、フック列を構成しているフックの数を増やして電気コードの一巻き長さを長くしたものであり、しかも、フック列に巻き掛けた電気コードの余剰部分を引き出す１つのフックを適切に選択するだけで、その余剰部分を長く垂れ下がらないようにコード保持部材の溝部に挟み込むことを可能にしたものである。そのため、電気コード収納のためのスペースを拡げることなく、長い電気コードであってもフック列にそれほど嵩張らない状態で巻き掛けることが可能になって、コード返し片を大形化しなくても電気コードがフック列から脱落するという事態が起こりにくくなるという効果が奏される。そして、そのような効果は、フック列に対する電気コードの巻掛け状態に個人差によるばらつきがあっても発揮されるので、ユーザにとっては、電気コードを煩わしい作業を行うことなく、整然と電気コードを収納することができるようになるという利便性がある。
【発明を実施するための最良の形態】
【００１７】
図１は本発明の実施形態に係る電気コード収納部構造Ｂを備えた充電装置Ａの概略斜視図、図２は電気コード収納部構造Ｂの概略斜視図、図３は電気コード収納部構造Ｂの正面図、図４はフック３１とフック３１に巻き掛けられた電気コードＣを説明するための側面図である。
【００１８】
図１には、セキュリティや清掃などに係る所要の任務を行う機能を備えた自走体（不図示）に搭載されているバッテリーの充電に用いられる充電装置Ａを例示している。この充電装置Ａは、床面などに安定性よく載置させることのできる座板部１００に電気箱１１０が備わっていて、その電気箱１１０に充電のために必要な回路基板などの機能部（不図示）が収容されている。そして、充電に用いられる給電側端子部１１２が前向きに突出していて、この給電側端子部１１２が、図示していない自走体に備わっている受電側端子部（不図示）の相手方端子部としての役割を担っている。さらに、電気箱１１０には自走体との間で光通信を行うための発光部１１３が設けられている。
【００１９】
図３又は図４のように、電気箱１１０の背面側に電気コード収納空間を形成する凹入部Ｓが設けられていて、その凹入部Ｓの樹脂でなる底板２０（図４参照）にフック列３０とコード保持部材４０とが樹脂で一体成形されている。このようにフック列３０とコード保持部材４０とを凹入部Ｓの底板２０に一体に成形しておくと、フック列３０やコード保持部材４０が別部品にならないので部品点数が増えない。そのため、充電装置Ａの量産性が阻害されないという利点がある。
【００２０】
また、電気コードＣは、底板２０の隅部に形成された引出口２１を通じて機能部から引き出されている。そして、フック列３０には機能部から引き出された電気コードＣが巻き掛けられ、コード保持部材４０にはフック列３０に巻き掛けられた電気コードＣの余剰部分Ｃ１が保持されるようになっている。なお、電気コードＣの先端には商用電源のコンセントに接続可能なプラグＰが接続されている。
【００２１】
この実施形態において、フック列３０は、直線状に並ばない３箇所、具体的には垂直に立ち上がっている底板２０の高さ方向で、その上部に１つのフック３１が位置しその下部に２つのフック３２，３３が位置していて、上側の１つのフック３１と下側の２つのフック３２，３３のそれぞれとの離隔間隔は同一になっている。言い換えると、上側の１つのフック３１と下側の２つのフック３２，３３は、二等辺三角形の３つの頂部（角部）に個別に配備されている。したがって、上側の１つのフック３１と下側の２つのフック３２，３３のそれぞれとの離隔間隔が、図６に示した上下一対のフック１１，１２との離隔間隔と同一であるとすると、３つのフック３１，３２，３３でなるフック列３０に図３のように巻き掛けられた電気コードＣの一巻き長さは、図６に示した上下一対のフック１１，１２でなるフック列１０に巻き掛けられた電気コードの一巻き長さよりも長くなる。そのため、電気コードＣを図２又は図３のフック列３０に巻き掛けた場合と、図６のフック列１０に巻き掛けた場合とを対比すると、電気コードＣの巻き掛け回数は、前者の場合が後者の場合より少なくなることはあっても、多くなることはない。したがって、図４に示したように１つのフック３１について見ると、そのフック３１に巻き掛けられる電気コードＣの束が太くなってそれほど大きく嵩張ることはなくなり、その結果、電気コードＣがフック列３０から脱落しにくくなる。また、フック列３０からの電気コードＣの脱落を個々のフック３１，３２，３３に具備させたコード返し片３４，３５，３６によって防止する場合には、そのコード返し片３４，３５，３６を小さくして電気コードＣの巻掛け作業性を高めることが容易に可能になる。
【００２２】
コード保持部材４０は、それぞれのフック３１，３２，３３からの離隔間隔が同一になる箇所、すなわち、上記した二等辺三角形の中心に配備されている。また、このコード保持部材４０は、底板２０から突き出た突起によって形成されていて、その頂部には電気コードＣの太さと同等かその太さよりも少し狭い溝部４１が形成されている。この溝部４１は、図３のようにフック列３０に巻き掛けられた電気コードＣの余剰部分Ｃ１を挟み込んで保持させることに用いられる。
【００２３】
以上のように、フック列３０を二等辺三角形の３つの頂部に個別に配備された３つのフック３１，３２，３３で構成し、コード保持部材４０を、それぞれのフック３１，３２，３３からの離隔間隔が同一になる箇所に配備しておくと、フック列３０に対する電気コードＣの巻掛け状態に個人差によるばらつきがあるとしても、フック列３０に巻き掛けた電気コードＣの余剰部分Ｃ１を引き出す１つのフック（図例ではフック３１）を適切に選択するだけで、その余剰部分Ｃ１を長く垂れ下がらないようにコード保持部材４０の溝部４１に挟み込んで保持させることが可能になる。
【００２４】
以上説明した実施形態では、コード保持部材４０が底板２０に樹脂で一体成形されている事例を説明したけれども、この点は、コード保持部材４０を形成している突起を底板２０から分離してその底板２０に回転自在に取り付けられていてもよい。そのような事例を図５に示してある。
【００２５】
すなわち、図５（Ａ）はコード保持部材４０の取付箇所の部分断面図、同図（Ｂ）はコード保持部材４０の作用説明図である。同図（Ａ）のように、コード保持部材４０には支軸４１が備わっていて、その支軸４１が底板２０に開設された軸孔２２に回転自在に保持されている。図例のようにコード保持部材４０が回転自在に構成されていると、フック列３０に巻き掛けられた電気コードＣの余剰部分Ｃ１の引出し方向に応じてコード保持部材４０を形成している突起を同図（Ｂ）矢印Ｒのように任意の方向に回転させることができるので、突起を回転させて溝部４１の長手方向を余剰部分Ｃ１の引出し方向に合わせることによって、コード保持部材４０の溝部４１に電気コードＣの余剰部分Ｃ１を屈曲させずに無理なく挟み込むことが可能になる。そのため、ユーザは余剰部分Ｃ１の処理を容易に行うことができ、しかも、余剰部分Ｃ１が無理に屈曲してしまって断線などの損傷を生じるというおそれが無くなる。
【００２６】
以上説明した実施形態では、フック列３０を３つのフック３１，３２，３３によって構成した事例を説明したけれども、フック列３０を構成するフックの数は３つに限定されず、４つであってもそれより多い数であってもよい。そして、フックの数を３つ以上とする場合には、それらのフックを正多角形や凹み部分を有していない変則的な多角形の頂部に位置させておいてもよい。
【００２７】
また、電気コード収納部構造Ｂは上記の実施形態のように充電装置Ａに適用される必要性は必ずしもなく、他の電気機器に適用することも勿論可能である。
【図面の簡単な説明】
【００２８】
【図１】本発明の実施形態に係る電気コード収納部構造を備えた充電装置の概略斜視図である。
【図２】電気コード収納部構造の概略斜視図である。
【図３】電気コード収納部構造の正面図である。
【図４】フックに巻き掛けられた電気コードを説明するための側面図である。
【図５】（Ａ）はコード保持部材の取付箇所の部分断面図、（Ｂ）はコード保持部材の作用説明図である。
【図６】従来の電気コード収納部構造の要部を示した概略正面図である。
【符号の説明】
【００２９】
Ａ  充電装置
Ｂ  電気コード収納部
Ｃ  電気コード
Ｃ１  電気コードの余剰部分
Ｓ  凹入部
２０  凹入部の底板
２１  引出口
３１，３２，３３  フック
３５，３６，３７  コード返し片
３０  フック列
４０  コード保持部材
４１  溝部
１１０  電気箱
１１２  受電側端子部
【図１】
2008290788.tif 000003
【図２】
2008290788.tif 000004
【図３】
2008290788.tif 000005
【図４】
2008290788.tif 000006
【図５】
2008290788.tif 000007
【図６】
2008290788.tif 000008